(57)【要約】【課題】  定着サーミスタの検知結果に応答して、処理回路が予め定める温度となるようにヒートローラを制御する定着装置において、低コスト化を図る。【解決手段】  処理回路１４ａは、設定モードとなると、定着ヒータ１１を駆動してヒートローラ１２の温度上昇を開始し、定着に用いる所定温度よりも充分に低い温度からその所定温度まで掃引させる。その途中で、定着サーミスタ１３よりも高精度な治具サーミスタ２１によって、定着温度計測治具２２の処理回路２２ａは前記ヒートローラ１２の温度を測定し、前記所定温度となると、前記処理回路１４ａに設定信号を与え、そのときの定着サーミスタ１３の検知結果を前記所定温度に設定させ、メモリ領域１４ｃに記憶させる。したがって、定着サーミスタ１３の検知結果に対して、処理回路１４ａが認識する温度値を校正させるので、精度の低い素子を使用して、低コスト化を図ることができる。【選択図】      図１
2006178058.tif 000002
【特許請求の範囲】
【請求項１】
温度センサの検知結果に応答して、制御回路が予め定める温度となるようにヒートローラを制御する定着装置において、
前記制御回路は、設定モードとなると、前記ヒートローラの温度上昇を開始し、前記予め定める温度に対する設定信号が入力されると、そのときの温度センサの検知結果を前記予め定める温度に設定することを特徴とする定着装置。
【請求項２】
前記予め定める温度は、前記ヒートローラの回転駆動を開始する１次安定温度Ｔ１、定着開始可能な２次安定温度Ｔ２および定着中温度Ｔ３の３つであり、前記制御回路にはこれらの温度値に対する温度センサの検知結果が対応付けて記憶され、該制御回路は、残余の温度をこれらの温度Ｔ１〜Ｔ３のデータから補間して求めることを特徴とする請求項１記載の定着装置。
【請求項３】
前記請求項１または２記載の定着装置を搭載することを特徴とする画像形成装置。
【請求項４】
温度センサの検知結果に応答して、制御回路が予め定める温度となるようにヒートローラを制御する定着装置の調整装置において、
前記ヒートローラの温度を測定し、温度センサよりも高精度な基準温度センサと、
前記基準温度センサの検知結果が入力され、前記制御回路が前記ヒートローラの温度上昇を開始させ、前記予め定める温度となると前記制御回路に設定信号を与え、そのときの温度センサの検知結果を前記予め定める温度に設定させる設定回路とを含むことを特徴とする定着装置の調整装置。
【請求項５】
温度センサの検知結果に応答して、制御回路が予め定める温度となるようにヒートローラを制御する定着装置の製造方法において、
前記制御回路に起動信号を与えて前記ヒートローラの温度上昇を開始させる工程と、
前記温度センサよりも高精度な基準温度センサによって前記ヒートローラの温度を測定する工程と、
前記基準温度センサの検知結果が前記予め定める温度となると前記制御回路に設定信号を与え、そのときの温度センサの検知結果を前記予め定める温度に設定させる工程とを含むことを特徴とする定着装置の製造方法。
【発明の詳細な説明】
【技術分野】
【０００１】
本発明は、現像剤で画像形成されたシート体にヒートローラを加圧接触させることで前記現像剤のシート体への定着を行う定着装置およびそれを用いる電子写真方式の画像形成装置、その定着装置の調整装置ならびに定着装置の製造方法に関する。
【背景技術】
【０００２】
電子写真方式の画像形成装置でトナーの加熱定着などに用いられる定着装置において、定着温度の制御は、サーミスタなどの温度センサからの出力に応答して、制御回路がヒータランプの点灯を制御することなどで行われる。そして、その制御温度が規定の定着温度からずれると、かぶりや定着不良を生じることになるので、ヒートローラの温度を精度良く制御する必要がある。
【０００３】
そこで、特許文献１は、ヒータ点灯デューティの補正を行うにあたって、定着装置と同様に構成され、ヒータおよび電源の公差が０の治具を用い、固定デューティでヒータをオンして、ある温度からある温度に達するまでの時間をカウントし、これを公差０のサーミスタと実際に使用するサーミスタとに行い、それらによる検知時間の差から補正係数を求め、制御装置に設定することで、制御系を構成する要素の持つばらつきを考慮しなくてすむようにした定着制御装置が提案されている。
【特許文献１】特開２００４−１７７４３０号公報
【発明の開示】
【発明が解決しようとする課題】
【０００４】
しかしながら、上述の従来技術は、公差０のサーミスタで、制御回路への入力がある温度のレベルになった時点からある温度のレベルになった時点までの時間をカウントし、実際に使用するサーミスタに対しても、制御回路への入力が前記のある温度のレベルになった時点からある温度のレベルになった時点までの時間をカウントしている。したがって、実際に使用するサーミスタが公差０のサーミスタと同じ出力になる点は見ているけれども、それが実際に何度であるのかは見ておらず、検知温度が実際何度であるのかの温度の補正は行っていない。このため、サーミスタにはばらつきの少ない精度の高い素子を用いる必要があり、コストが嵩むという問題がある。
【０００５】
本発明の目的は、温度センサに比較的精度の低い素子を使用することができ、低コスト化を図ることができる定着装置およびそれを用いる画像形成装置ならびに定着装置の調整装置および定着装置の製造方法を提供することである。
【課題を解決するための手段】
【０００６】
本発明の定着装置は、温度センサの検知結果に応答して、制御回路が予め定める温度となるようにヒートローラを制御する定着装置において、前記制御回路は、設定モードとなると、前記ヒートローラの温度上昇を開始し、前記予め定める温度に対する設定信号が入力されると、そのときの温度センサの検知結果を前記予め定める温度に設定することを特徴とする。
【０００７】
上記の構成によれば、温度センサの検知結果に応答して、制御回路が予め定める温度となるようにヒートローラを制御する定着装置において、前記制御回路は、外部からの起動信号や、初回の電源投入などのトリガに応答して、設定モードとなると、前記ヒートローラ内のヒータを高いデューティで駆動したり、連続して通電するなどして、ヒートローラの温度上昇を開始し、前記予め定める温度よりも充分に低い温度からその予め定める温度まで温度を掃引させ、すなわち前記予め定める温度を確実に横切るようにする。そして、その掃引の途中で、外部から前記予め定める温度に対する設定信号が入力されると、そのときの温度センサの検知結果を前記予め定める温度として設定する。
【０００８】
したがって、該定着装置およびそれを用いる画像形成装置などの組立て段階や出荷調整などの段階で、調整治具となる調整装置を取付け、温度センサの検知結果（出力電圧、電流等）に対して、前記温度センサよりも高精度な基準温度センサなどによる検知結果によって制御回路が認識する温度値を校正させるので、温度センサに比較的精度の低い素子を使用することができ、定着装置の低コスト化を図ることができる。
【０００９】
また、本発明の定着装置では、前記予め定める温度は、前記ヒートローラの回転駆動を開始する１次安定温度Ｔ１、定着開始可能な２次安定温度Ｔ２および定着中温度Ｔ３の３つであり、前記制御回路にはこれらの温度値に対する温度センサの検知結果がそれぞれ対応付けて記憶され、該制御回路は、残余の温度をこれらの温度Ｔ１〜Ｔ３のデータから補間して求めることを特徴とする。
【００１０】
上記の構成によれば、制御回路は、前記ヒートローラの回転駆動を開始する１次安定温度Ｔ１、定着開始可能な２次安定温度Ｔ２および定着中温度Ｔ３の３つのデータを記憶しておくだけであり、メモリ容量および調整の手間を削減することができる。
【００１１】
さらにまた、本発明の画像形成装置は、前記の定着装置を搭載することを特徴とする。
【００１２】
上記の構成によれば、温度センサに比較的精度の低い素子を使用することができる定着装置を用いて、画像形成装置の低コスト化を図ることができる。
【００１３】
また、本発明の定着装置の調整装置は、温度センサの検知結果に応答して、制御回路が予め定める温度となるようにヒートローラを制御する定着装置の調整装置において、前記ヒートローラの温度を測定し、温度センサよりも高精度な基準温度センサと、前記基準温度センサの検知結果が入力され、前記制御回路が前記ヒートローラの温度上昇を開始させ、前記予め定める温度となると前記制御回路に設定信号を与え、そのときの温度センサの検知結果を前記予め定める温度に設定させる設定回路とを含むことを特徴とする。
【００１４】
上記の構成によれば、前記制御回路が前記ヒートローラの温度上昇を開始し、前記予め定める温度よりも充分に低い温度からその予め定める温度まで温度を掃引している途中で、設定回路は、温度センサよりも高精度な基準温度センサによって前記ヒートローラの温度を測定し、定着に用いる予め定める温度となると（前記横切ると）、前記制御回路に設定信号を与え、そのときの温度センサの検知結果を前記予め定める温度に設定させる。
【００１５】
したがって、定着装置およびそれを用いる画像形成装置などの組立て段階や出荷調整などの段階で、調整治具となる該調整装置を取付け、温度センサの検知結果（出力電圧、電流等）に対して、制御回路が認識する温度値を校正させるので、温度センサに比較的精度の低い素子を使用することができ、定着装置の低コスト化を図ることができる。
【００１６】
さらにまた、本発明の定着装置の製造方法は、温度センサの検知結果に応答して、制御回路が予め定める温度となるようにヒートローラを制御する定着装置の製造方法において、前記制御回路に起動信号を与えて前記ヒートローラの温度上昇を開始させる工程と、前記温度センサよりも高精度な基準温度センサによって前記ヒートローラの温度を測定する工程と、前記基準温度センサの検知結果が前記予め定める温度となると前記制御回路に設定信号を与え、そのときの温度センサの検知結果を前記予め定める温度に設定させる工程とを含むことを特徴とする。
【００１７】
上記の構成によれば、温度センサの検知結果に応答して、制御回路が予め定める温度となるようにヒートローラを制御する定着装置を製造するにあたって、前記制御回路に、外部入力などで前記ヒートローラの温度上昇を開始させる起動信号を与えて、前記予め定める温度よりも充分に低い温度からその予め定める温度まで温度を掃引させ、すなわち前記予め定める温度を横切ったことを確実に検知できるようにする工程と、その掃引の途中で、温度センサよりも高精度な基準温度センサによって前記ヒートローラの温度を測定する工程と、その測定結果が定着に用いる予め定める温度となると（前記横切ると）、前記制御回路に設定信号を与え、そのときの温度センサの検知結果を前記予め定める温度に設定させる工程とを行う。
【００１８】
したがって、定着装置およびそれを用いる画像形成装置などの組立て段階や出荷調整などの段階で、温度センサの検知結果（出力電圧、電流等）に対して、制御回路が認識する温度値を校正させるので、温度センサに比較的精度の低い素子を使用することができ、定着装置の低コスト化を図ることができる。
【発明の効果】
【００１９】
本発明の定着装置は、以上のように、温度センサの検知結果に応答して、制御回路が予め定める温度となるようにヒートローラを制御する定着装置において、前記制御回路は、外部からの起動信号や、初回の電源投入などのトリガに応答して、設定モードとなると、前記ヒートローラ内のヒータを高いデューティで駆動したり、連続して通電するなどして、ヒートローラの温度上昇を開始し、前記予め定める温度よりも充分に低い温度からその予め定める温度まで温度を掃引させ、その掃引の途中で、外部から前記予め定める温度に対する設定信号が入力されると、そのときの温度センサの検知結果を前記予め定める温度として設定する。
【００２０】
それゆえ、該定着装置およびそれを用いる画像形成装置などの組立て段階や出荷調整などの段階で、調整治具となる調整装置を取付け、温度センサの検知結果に対して、前記温度センサよりも高精度な基準温度センサなどによる検知結果によって制御回路が認識する温度値を校正させるので、温度センサに比較的精度の低い素子を使用することができ、定着装置の低コスト化を図ることができる。
【００２１】
さらにまた、本発明の画像形成装置は、以上のように、前記の定着装置を搭載する。
【００２２】
それゆえ、画像形成装置の低コスト化を図ることができる。
【００２３】
また、本発明の定着装置の調整装置は、以上のように、温度センサの検知結果に応答して、制御回路が予め定める温度となるようにヒートローラを制御する定着装置の調整装置において、設定回路は、前記制御回路が前記ヒートローラの温度上昇を開始し、前記予め定める温度よりも充分に低い温度からその予め定める温度まで温度を掃引している途中で、温度センサよりも高精度な基準温度センサによって前記ヒートローラの温度を測定し、定着に用いる予め定める温度となると、前記制御回路に設定信号を与え、そのときの温度センサの検知結果を前記予め定める温度に設定させる。
【００２４】
それゆえ、定着装置およびそれを用いる画像形成装置などの組立て段階や出荷調整などの段階で、調整治具となる該調整装置を取付け、温度センサの検知結果に対して、制御回路が認識する温度値を校正させるので、温度センサに比較的精度の低い素子を使用することができ、定着装置の低コスト化を図ることができる。
【００２５】
さらにまた、本発明の定着装置の製造方法は、以上のように、温度センサの検知結果に応答して、制御回路が予め定める温度となるようにヒートローラを制御する定着装置を製造するにあたって、前記制御回路に前記ヒートローラの温度上昇を開始させる起動信号を与えて、前記予め定める温度よりも充分に低い温度からその予め定める温度まで温度を掃引させ、すなわち前記予め定める温度を横切ったことを確実に検知できるようにする工程と、その掃引の途中で、温度センサよりも高精度な基準温度センサによって前記ヒートローラの温度を測定する工程と、その測定結果が定着に用いる予め定める温度となると、前記制御回路に設定信号を与え、そのときの温度センサの検知結果を前記予め定める温度に設定させる工程とを行う。
【００２６】
それゆえ、定着装置およびそれを用いる画像形成装置などの組立て段階や出荷調整などの段階で、温度センサの検知結果に対して、制御回路が認識する温度値を校正させるので、温度センサに比較的精度の低い素子を使用することができ、定着装置の低コスト化を図ることができる。
【発明を実施するための最良の形態】
【００２７】
［実施の形態１］
図１は、本発明の実施の一形態に係る定着装置１およびその調整装置２の電気的構成を示すブロック図である。前記定着装置１は、大略的に、定着ヒータ１１を内蔵するヒートローラ１２と、そのヒートローラ１２の表面温度を検知する定着サーミスタ１３と、その定着サーミスタ１３からの出力に応答して制御出力を導出するコントローラ基板１４と、前記コントローラ基板１４からの制御信号に応答して商用電源１５からの電力を制御して前記定着ヒータ１１に与える電源基板１６とを備えて構成される。
【００２８】
前記ヒートローラ１２は、図２で示すように、円筒状に形成され、その内部に、ハロゲンランプなどから成る棒状の前記定着ヒータ１１を、１または複数本（図２では１本）内蔵しており、外周面には記録紙を挟持する圧ローラ１７が接触してニップ部を形成し、これらは共に回転する。また、このヒートローラ１２の外周面において、通紙領域外に、固定位置から延びる板ばねなどで支持される前記定着サーミスタ１３が摺接しており、この定着サーミスタ１３の支持構造は、たとえば本件出願人が先に提案した特開２００１−４２６９０号公報の図４などに詳しく説明されている。
【００２９】
前記コントローラ基板１４は、マイクロコンピュータなどから成る処理回路１４ａに、プルアップ抵抗１４ｂを備えて構成されている。温度センサである前記定着サーミスタ１３には、このコントローラ基板１４の電源電圧Ｖｃｃがプルアップ抵抗１４ｂを介して与えられており、定着ヒータ１１の温度変化によってそれらの接続点の電位が変動し、その接続点の電位は前記処理回路１４ａのアナログ入力端ＡＮに与えられる。
【００３０】
制御回路である処理回路１４ａは、前記アナログ入力端ＡＮの電位に応答して、リモート出力端ＲＥＭから前記電源基板１６に制御信号を出力し、前記商用電源１５からの定着ヒータ１１に与える電力を制御させる。具体的には、前記アナログ入力端ＡＮの電位が、前記ヒートローラ１２の回転駆動を開始する１次安定温度Ｔ１、定着開始可能な２次安定温度Ｔ２および定着中温度Ｔ３の温度制御に用いる３つの温度の何れかに対応した電位となるように、待機モードや画像形成モード等、制御すべき時点の動作モードに対応して制御する。
【００３１】
これら各温度Ｔ１〜Ｔ３に対応したアナログ入力端ＡＮの電位は、処理回路１４ａ内の不揮発性のメモリ領域１４ｃ内に、後述するようにして予め記憶されている。そして、処理回路１４ａでは、前記各温度Ｔ１〜Ｔ３以外の温度に対するアナログ入力端ＡＮの電位は、図３で示すこれらの温度Ｔ１〜Ｔ３における電位Ｖ１〜Ｖ３のデータから、直線または２次曲線などの近似式で補間して求められる。このようにメモリ領域１４ｃには、高精度な温度制御に用いるデータを記憶しておくだけであり、メモリ容量および後述する調整の手間を削減することができる。なお、ヒートローラ１２の高精度な温度制御に用いるデータ、すなわち安定温度が、前記各温度Ｔ１〜Ｔ３の３つに限らず、４つ以上や２つ以下でもよい。
【００３２】
図３の各温度Ｔ１〜Ｔ３とアナログ入力端ＡＮの電位との関係において、サーミスタが正特性であるか負特性であるかによって、および抵抗１４ｂ，２２ｂとサーミスタ１３，２１との接続関係（いずれがＶｃｃ側で、いずれがＧＮＤ側であるのか）によって傾き方向が異なり、またサーミスタの種類および抵抗１４ｂ，２２ｂの抵抗値によって傾きを変化することができる。
【００３３】
前記電源基板１６は、フォトカプラ１６ａ、プルアップ抵抗１６ｂ、トライアック（双方向性制御素子）１６ｃおよび抵抗１６ｄ，１６ｅを備えて構成されている。フォトカプラ１６ａのフォトダイオード１６ｆのアノードには、プルアップ抵抗１６ｂを介してこの電源基板１６の電源電圧Ｖｃｃが与えられており、カソードは前記処理回路１４ａのリモート出力端ＲＥＭに接続される。一方、フォトカプラ１６ａのフォトトライアック１６ｇは、抵抗１６ｄ，１６ｅを介してトライアック１６ｃのゲートを制御する。トライアック１６ｃは、前記定着ヒータ１１と直列に、前記商用電源１５に接続されている。したがって、前記処理回路１４ａのリモート出力端ＲＥＭがローレベルになるとフォトダイオード１６ｆが点灯し、フォトトライアック１６ｇに電流が流れ、これによってトライアック１６ｃのゲートがオン駆動され、定着ヒータ１１が点灯し、ヒートローラ１２の温度が上昇する。こうして、商用電源１５側とコントローラ基板１４などの制御側とが電気的に絶縁されて制御が行われる。
【００３４】
調整治具である調整装置２は、治具サーミスタ２１に、定着温度計測治具２２を備えて構成される。前記治具サーミスタ２１は、この定着装置１およびそれを用いる画像形成装置などの組立て段階や出荷調整などの段階で、画像形成装置の本体側フレーム等に磁気吸着などで取付けられ、前記定着サーミスタ１３と同様に、ヒートローラ１２に摺接し、その温度を測定するものであり、前記定着サーミスタ１３よりも高精度な基準温度センサである。この治具サーミスタ２１も、前記特開２００１−４２６９０号公報の図４の支持構造などを用いて取付けられる。
【００３５】
設定回路である前記定着温度計測治具２２は、マイクロコンピュータなどから成る処理回路２２ａに、プルアップ抵抗２２ｂを備えて構成されている。前記治具サーミスタ２１には、この定着温度測定治具２２内の電源電圧Ｖｃｃがプルアップ抵抗２２ｂを介して与えられており、定着ヒータ１１の温度変化によってそれらの接続点の電位が変動し、その接続点の電位は前記処理回路２２ａのアナログ入力端ＡＮに与えられる。
【００３６】
注目すべきは、処理回路２２ａは、前記出荷調整時などで設定モードとなると、処理回路１４ａに起動信号を与えて設定モードに切換え、前記定着ヒータ１１を高いデューティで駆動させたり、連続して通電させるなどして、ヒートローラ１２の温度上昇を開始させ、最も低い前記１次安定温度Ｔ１よりも充分に低い温度から、最も高い前記定着中温度Ｔ３よりも充分に高い温度まで温度を掃引させ、すなわち前記温度Ｔ１，Ｔ２，Ｔ３を確実に横切るように制御することである。そして、その掃引の途中で、前記治具サーミスタ２１で検知された温度が順に前記温度Ｔ１，Ｔ２，Ｔ３となると、処理回路２２ａは、処理回路１４ａに設定信号を与えて、そのときの定着サーミスタ１３の検知結果（アナログ入力端ＡＮの電位のアナログ／デジタル変換値）Ｖ１，Ｖ２，Ｖ３を前記各温度Ｔ１，Ｔ２，Ｔ３のデータとしてメモリ領域１４ｃに設定させることである。
【００３７】
通常の定着動作時には、処理回路１４ａは、アナログ入力端ＡＮの電位が、前記温度Ｔ１，Ｔ２，Ｔ３にそれぞれ対応する電位Ｖ１，Ｖ２，Ｖ３の何れかに安定するように、リモート出力端ＲＥＭから電源基板１６を制御する。
【００３８】
図４は、上述の温度データの設定動作を説明するためのフローチャートである。この設定動作は、前記処理回路２２ａ，１４ａの連携によるものであるが、この図４では、調整装置２側の処理回路２２ａの動作を示す。定着装置１側の処理回路１４ａの動作は、この処理回路２２ａの動作から容易に想到される。ステップＳ１では、治具サーミスタ２１の検知結果が前記１次安定温度Ｔ１よりも充分低い温度Ｔ０に対応した電位Ｖ０以下となるまで待機し、電位Ｖ０以下となるとステップＳ２に移る。ステップＳ２では、処理回路１４ａに前記起動信号を与えて設定モードとし、定着ヒータ１１をオンさせる。
【００３９】
ステップＳ３では、治具サーミスタ２１の検知結果が前記１次安定温度Ｔ１に対応した電位Ｖ１に到達するまで待機し、到達するとステップＳ４で前記処理回路１４ａに設定信号を送信し、そのときの前記定着サーミスタ１３による測定電位Ｖ１’を前記前記１次安定温度Ｔ１に対応した電位としてメモリ領域１４ｃに記憶させる。
【００４０】
以下同様に、ステップＳ５では、治具サーミスタ２１の検知結果が前記２次安定温度Ｔ２に対応した電位Ｖ２に到達するまで待機し、到達するとステップＳ６で前記処理回路１４ａに設定信号を送信し、そのときの定着サーミスタ１３による測定電位Ｖ２’を前記２次安定温度Ｔ２に対応した電位としてメモリ領域１４ｃに記憶させる。さらにステップＳ７では、治具サーミスタ２１の検知結果が前記定着中温度Ｔ３に対応した電位Ｖ３に到達するまで待機し、到達するとステップＳ８で前記処理回路１４ａに設定信号を送信し、そのときの定着サーミスタ１３による測定電位Ｖ３’を前記定着中温度Ｔ３に対応した電位としてメモリ領域１４ｃに記憶させる。
【００４１】
こうして設定が終了すると、ステップＳ９で前記処理回路１４ａに終了信号を送信し、設定モードを終了させて定着ヒータ１１をオフさせて処理を終了する。
【００４２】
このように構成することで、定着装置１およびそれを用いる画像形成装置などの組立て段階や出荷調整などの段階で、調整治具となる該調整装置２を取付け、治具サーミスタ２１の検知結果に対して、処理回路１４ａが認識する温度値を校正させるので、定着サーミスタ１３に比較的精度の低い素子を使用することができ、定着装置１の低コスト化を図ることができる。たとえば、上述の調整（校正）を行わない場合には、前記定着サーミスタ１３に要求される公差は０．５％以下であるのに対して、調整（校正）を行うことで、１０％以上であっても問題はない。
【００４３】
また、処理回路１４ａのメモリ領域１４ｃは、高精度な制御に必要な安定温度である前記ヒートローラ１２の回転駆動を開始する１次安定温度Ｔ１、定着開始可能な２次安定温度Ｔ２および定着中温度Ｔ３の３つのデータを記憶しておくだけであり、制御の過渡状態に用いる残余の温度のデータは、これらの温度Ｔ１〜Ｔ３のデータから補間して求めるので、メモリ領域１４ｃの容量および調整の手間を削減することができる。
【００４４】
さらにまた、処理回路２２ａは、最も低い１次安定温度Ｔ１よりも充分に低い温度から最も高い定着中温度Ｔ３まで温度を掃引させるので、予め定める前記温度Ｔ１〜Ｔ３を横切ったことを確実に検知することができる。
【００４５】
なお、上述の説明では、調整装置２側の処理装置２２ａから定着装置１側の処理回路１４ａに起動信号を与えることで設定モードに切換えているけれども、図１では図示していないが、この定着装置１を搭載する画像形成装置などの操作パネルなどの外部から、作業者の操作などによって、設定モードに切換えるトリガが与えられてもよい。あるいは、初回の電源投入時には、自動的に設定モードに切換わるようにしてもよい。また、前記温度Ｔ０に対応した電位Ｖ０は、定着サーミスタ１３を用いて、処理回路１４ａ側で測定するようにしてもよい。
【００４６】
図５は、上述のように構成される定着装置１を備える画像形成装置である複写機３１の機械的構成を示す縦断面図である。この複写機３１は、大略的に、電子写真方式で画像形成を行う本体部３２と、前記本体部３２の上方側に配設され、原稿読取り装置であるスキャナ部３３と、そのスキャナ部３３の上方側に配設されるＡＤＦ３４とを備えて構成される。
【００４７】
前記本体部３２では、１または複数（図５では３個）の給紙トレイ４１，４２，４３や手差しトレイ４４に装填された記録紙４１ａ，４２ａ，４３ａ，４４ａの何れかが取込みローラ４１ｂ，４２ｂ，４３ｂ，４４ｂで１枚ずつ取出され、レジストローラ４５，４６にてタイミング調整が行われた後、画像形成部４７に搬送される。前記画像形成部４７は、感光体ドラム４７ａの周囲に、図示しない帯電器、レーザ書込みユニット、現像器、転写ユニット４７ｂおよび図示しないクリーニングユニット等が配置され、前記記録紙に電子写真方式で画像形成を行う。こうして記録紙に形成されたトナー像は、上述の定着装置１にて定着され、排出ローラ４９，５０から排紙トレイ５１上に排出される。
【００４８】
一方、前記レーザ書込みユニットに与えられる原稿画像データは、スキャナ部３３および／またはＡＤＦ３４にて読取られる。スキャナ部３３では、原稿載置台５２の下面には、原稿に照明光を照射し、その反射光を受光するランプユニット５３と、前記ランプユニット５３で得られた原稿画像を反射するミラーユニット５４と、前記ミラーユニット５４からの原稿画像を集光する結像レンズ５５と、ＣＣＤイメージセンサなどから成り、前記結像レンズ５５で結像された原稿画像を光電変換する撮像素子５６とを備えて構成される。前記ランプユニット５３が速度Ｖで、前記ミラーユニット５４が速度Ｖ／２で、図５の左右方向に変位することで、前記原稿載置台５２に載置されたブック物や１枚物の原稿画像が、常に等しい光路長で前記撮像素子５６に結像される。こうして読取られた原稿画像データは、図示しない画像処理ユニットにて濃度調整や輪郭強調などの画像処理が行われ、前記レーザ書込みユニットに与えられる。
【００４９】
一方、シート原稿を順次取り込んでゆくＡＤＦ３４では、原稿トレイ６１に積層された原稿６２は、取込みローラ６３によって１枚ずつ取出され、湾曲搬送路６４へと供給される。そして前記湾曲搬送路６４に設けられた搬送ローラ６５，６６；６７，６８によって、主走査方向に延びる原稿載置台７２へと搬送され、該原稿載置台７２に前記ランプユニット５３が臨んだ状態で、順次原稿画像が読取られた後、排出ローラ６９，７０によって排出トレイ７１上へと排出される。
【００５０】
このような画像形成装置に本発明の定着装置１を搭載することで、画像形成装置の低コスト化を図ることができる。
【図面の簡単な説明】
【００５１】
【図１】本発明の実施の一形態に係る定着装置およびその調整装置の電気的構成を示すブロック図である。
【図２】前記定着装置におけるヒートローラ付近の構造を示す斜視図である。
【図３】前記定着装置のヒータ制御に用いる温度とサーミスタによる検知電位の関係を示すグラフである。
【図４】温度データの設定動作を説明するためのフローチャートである。
【図５】上述のように構成される定着装置を備える複写機の機械的構成を示す縦断面図である。
【符号の説明】
【００５２】
１    定着装置
２    調整装置
１１    定着ヒータ
１２    ヒートローラ
１３    定着サーミスタ
１４    コントローラ基板
１５    商用電源
１６    電源基板
１４ａ，２２ａ    処理回路
１４ｂ，１６ｂ，２２ｂ    プルアップ抵抗
１４ｃ  メモリ領域
１６ａ  フォトカプラ
１６ｃ  トライアック
１６ｄ，１６ｅ    抵抗
１６ｆ  フォトダイオード
１６ｇ  フォトトライアック
２１    治具サーミスタ
２２    定着温度計測治具
３１    複写機
３２    本体部
３３    スキャナ部
３４    ＡＤＦ
４７    画像形成部
４７ａ  感光体ドラム
４７ｂ  転写ユニット
５２，７２    原稿載置台
５３    ランプユニット
５４    ミラーユニット
５５    結像レンズ
５６    撮像素子
６２    原稿
【図１】
2006178058.tif 000003
【図２】
2006178058.tif 000004
【図３】
2006178058.tif 000005
【図４】
2006178058.tif 000006
【図５】
2006178058.tif 000007